(57)【特許請求の範囲】
【請求項１】
互いに反対側に露出した一対の端面（２，３，２２，２３）をそれぞれ有し、前記端面が、それぞれもう１つの木製建材パーツに実継ぎ可能に構成された一対の木製建材パーツＡ（１）及び木製建材パーツＢ（２１）を備える木製建材パーツ組であって、
前記木製建材パーツＡは、
前記一対の端面として第１Ａ端面（２）と第２Ａ端面（３）とを備え、
前記第１Ａ端面に設けられ、当該端面に沿った一定方向に連続する凸状の第１Ａ雄実部（５）と、
前記第２Ａ端面に設けられ、前記一定方向に連続する凹溝状の第１Ａ雌実部（６）と、
前記第１Ａ雄実部と前記第１Ａ雌実部とを通る平面に平行な第１Ａ外周面（７）及び第２Ａ外周面（１２）と、
前記第１Ａ外周面に設けられ、前記第１Ａ雄実部と同形状の部材が嵌合可能で、かつ、前記一定方向に連続する凹溝状の第２Ａ雌実部（１１）と、
前記第１Ａ雌実部と前記第１Ａ外周面との間に、前記第１Ａ端面から離れる方向に突出して形成された第２Ａ雄実部（９）と、
を有し、
前記木製建材パーツＢは、
前記一対の端面として第１Ｂ端面（２２）と第２Ｂ端面（２３）とを備え、
前記第１Ｂ端面に設けられ、当該端面に沿った一定方向に連続する凸状の第１Ｂ雄実部（２５）と、
前記第２Ｂ端面に設けられ、前記一定方向に連続する凹溝状の第１Ｂ雌実部（２６）と、
前記第１Ｂ雄実部と前記第１Ｂ雌実部とを通る平面に平行な第１Ｂ外周面（２７）及び第２Ｂ外周面（３２）と、
前記第１Ｂ雌実部と前記第１Ｂ外周面との間に、前記第１Ｂ端面から離れる方向に突出して形成された第２Ｂ雄実部（２９）と、
前記第１Ｂ外周面及び前記第１Ｂ端面を切り欠いて形成された切欠き部（２８）と、
を有し、
前記第１Ａ外周面と前記第２Ａ外周面との間隔は、前記第１Ｂ外周面と前記第２Ｂ外周面との間隔とは異なり、
前記第１Ｂ雄実部は前記第１Ａ雌実部に実継ぎ可能で、当該実継ぎ時には、前記第２Ａ雄実部は前記切欠き部に相じゃくり継ぎされ、かつ、前記第２Ａ端面と前記第１Ｂ端面との間には隙間ができるように、前記各雄実部及び前記各雌実部及び前記切欠き部の、大きさ及び形状が設定された木製建材パーツ組。
【請求項２】
請求項１に記載の木製建材パーツ組であって、
前記第１Ａ雄実部（５）が突出した方向と、前記第２Ａ雌実部（１１）が凹んだ方向とが、前記一定方向から見て互いに直交する木製建材パーツ組。
【請求項３】
互いに反対側に露出した第１端面（４２）及び第２端面（４３）を有し、前記第１端面及び第２端面がそれぞれ他の木製建材パーツに実継ぎ可能に構成された木製建材パーツであって、
前記第１端面に当該第１端面から突出して１つ設けられ、当該第１端面に沿った一定方向に連続する凸状の第１雄実部（４５）と、
前記第２端面に１つ設けられ、前記第１雄実部と同形状の部材が嵌合可能で、かつ、前記一定方向に連続する凹溝状の第１雌実部（４６）と、
前記第１雄実部と前記第１雌実部とを通る平面に平行な第１外周面（４７）及び第２外周面（５２）と、
前記第１雌実部と前記第１外周面との間に、前記第１端面から離れる方向に前記第２端面から突出して形成された１つの第２雄実部（４９）と、
前記第１外周面及び前記第１端面を切り欠いて形成された切欠き部（４８）と、
前記第１端面における前記第１雄実部よりも前記第２外周面側に設けられ、前記第２雄実部と同形状の部材が嵌合可能で、かつ、前記一定方向に連続する凹溝状の第２雌実部（４４）と、
前記第２端面における前記第１雌実部よりも前記第２外周面側に設けられ、前記第１雄実部と同形状の部材が嵌合可能で、かつ、前記一定方向に連続する凹溝状の第３雌実部（４６）と、
前記第１外周面に設けられ、前記第１雄実部と同形状の部材が嵌合可能で、かつ、前記一定方向に連続する凹溝状の第４雌実部（５１）と、
を備え、
前記第１雌実部が、前記第１雄実部及び前記切欠き部と同形状の雄実及び切欠き部を有する他の木製建材パーツの前記雄実に実継ぎされたとき、前記第２雄実部は前記他の木製建材パーツの前記切欠き部に相じゃくり継ぎされるように、前記各雄実部及び前記各雌実部及び前記切欠き部の、大きさ及び形状が設定された木製建材パーツ。
【請求項４】
請求項３に記載の木製建材パーツであって、
前記第１雄実部が突出した方向と、前記第４雌実部（５１）が凹んだ方向とが、前記一定方向から見て互いに直交する木製建材パーツ。
【請求項５】
請求項３〜４のいずれか１項に記載の木製建材パーツであって、
前記第２雌実部及び前記第３雌実部をそれぞれ複数備えた木製建材パーツ。
【発明の詳細な説明】
【技術分野】
【０００１】
本発明は、実継ぎによって複数個を組み合わせて使用可能な木材パーツに関する。
【背景技術】
【０００２】
従来、木材パーツにおいて、互いに反対側に露出した一対の端面のうちの一方に、その端面の長手方向に連続する凸状の雄実部を、前記一対の端面のうちの他方に、その端面の長手方向に連続する凹溝状の雌実部を、それぞれ形成する技術が知られている。その場合、雄実部を雌実部に嵌合させることによって、前記木材パーツを複数組み合わせる（すなわち、実継ぎさせる）ことが可能となる。
【０００３】
ここで、この種の木材パーツでは、前記雄実部と雌実部とを通る平面に平行な一対の外周面（以下、上面及び下面ともいう）が、実継ぎ時に、各木材パーツで互いに同一平面上に配設される場合が多い。ところが、この種の木材パーツでは、前記実継ぎ時に、上面又は下面が同一平面上に配設されないように構成することも検討されている。例えば特許文献１には、雄実部及び雌実部から下面までの間隔は各パーツで等しくし、雄実部及び雌実部から上面までの間隔は各パーツで異ならせることが提案されている。その場合、各パーツを実継ぎすると、下面は同一平面上に配設されるが、上面は前記間隔の相違に応じた凹凸を構成する。このため、互いに実継ぎされたこれらのパーツを羽目板として用い、前記下面を間柱に取り付けると、壁面に凹凸を自由に形成することができる。
【先行技術文献】
【特許文献】
【０００４】
【特許文献１】実開昭６３−２１３５４号公報
【発明の概要】
【発明が解決しようとする課題】
【０００５】
しかしながら、このように実継ぎされる木材パーツには、より自由度の高い造形に応用したいという要請がある。そこで、本発明は、実継ぎされる木材パーツにおいて、当該木材パーツを用いた造形の自由度を向上させることを目的としている。
【課題を解決するための手段】
【０００６】
本発明は、互いに反対側に露出した一対の端面（２，３，２２，２３，４２，４３，７２，７３）のうちの少なくとも一方に、当該端面に沿った一定方向（以下、第１の方向ともいう）に連続する凸状の雄実部（５，９，２５，２９，４５，４９，７５）を、前記一対の端面のうちの少なくとも他方に、前記一定方向に連続する凹溝状の第１雌実部（６，２６，４４，４６，７６）を、それぞれ有し、前記一対の端面がそれぞれ他の木材パーツに実継ぎ可能に構成された木材パーツであって、前記一対の端面のそれぞれに対して非平行な外周面（７，２７，４７，５２，７７）を有し、当該外周面に、前記雄実部と同形状の部材が嵌合可能な凹溝状の第２雌実部（１１，３１，５１，５３，８１）を有する。
【０００７】
このため、本発明の木材パーツでは、例えば２個の木材パーツを実継ぎする場合、一方の木材パーツにおける前記一方の端面が有する雄実部を、他方の木材パーツにおける前記他方の端面が有する第１雌実部に嵌合させる。こうすることによって、雄実部と第１雌実部とを結ぶ第２の方向に沿って、複数個の木材パーツを実継ぎすることができる。また、本発明の木材パーツは、この方法のみならず、一方の木材パーツにおける雄実部を他方の木材パーツにおける第２雌実部に嵌合させて立体的に実継ぎする方法によっても互いに組み合わせることが可能となる。前記立体的に実継ぎする方法とは、言い換えれば、第１の方向及び第２の方向で規定される面に交差する方向に実継ぎする方法である。従って、本発明の木材パーツを用いれば、造形の自由度が向上する。
【０００８】
なお、前記木材パーツにおいて、互いに反対側に露出した一対の前記外周面（４７，５２）を有し、当該外周面のそれぞれに前記第２雌実部（５１，５３）を有する場合、次のような更なる効果が生じる。その場合、第２雌実部が形成された外周面が、互いに反対側に露出するように一対設けられている。雄実部は、どちらの外周面に形成された第２雌実部にも嵌合可能である。従って、このような木材パーツを用いれば、造形の自由度が一層向上する。
【０００９】
また、前記いずれかの木材パーツにおいて、前記一方の端面（２，２２，４２）に設けられた前記雄実部（５，２５，４５）と前記外周面のうちの１つ（７，２７，４７）との間隔が、前記他方の端面（３，２３，４３）に設けられた第１雌実部（６，２６，４６）と前記１つの外周面との間隔に等しい場合、次のような更なる効果が生じる。その場合、前記第１雌実部に前記雄実部を嵌合させて複数組み合わされたときに、各木材パーツにおける前記１つの外周面が互いに同一平面上に配設される。このため、前記同一平面上に配設される外周面を壁面や間柱，床，天井等に取り付ければ、各木材パーツ同士が実継ぎされた状態を維持したままで、当該各木材パーツを壁面や間柱，床，天井等に良好に取り付けることが可能となる。
【００１０】
また、前記いずれかの木材パーツにおいて、前記雄実部（５，２５，４５）が突出した方向と、前記第２雌実部（１１，３１，５１，５３）が凹んだ方向とが、前記一定方向から見て互いに直交する場合、次のような更なる効果が生じる。すなわち、その場合、４個の木材パーツが、前記雄実部（５，２５，４５）が前記第２雌実部（１１，３１，５１）に嵌合するように組み合わされたときに、中心に四角柱状の貫通した空間を有する四角柱状の立体を構成する。すなわち、４個の各木材パーツにおける雄実部が、隣接する木材パーツの第２雌実部にそれぞれ嵌合することで、４個の木材パーツは安定した立体形状を構成する。従って、このような木材パーツを用いれば、造形の自由度が一層向上し、その造形物の安定性も向上する。
【００１１】
ここで、「四角柱状」とは、厳密な意味での四角柱に限るものではなく、目的とする効果を奏するのであれば厳密に四角柱でなくてもよい。例えば、雄実部又は雌実部に相当するような凹凸が存在してもよく、曲面によって構成された部分を含んでもよい。
【００１２】
また、前記いずれかの木材パーツにおいて、少なくとも１つの前記外周面（２７，４７）に、前記第２雌実部（３１，５１）を複数並列に有する場合、次のような更なる効果が生じる。その場合、雄実部は、前記外周面に並列に設けられた複数の第２雌実部のうち、所望のものに嵌合させることができる。従って、このような木材パーツを用いれば、造形の自由度が一層向上する。
【００１３】
また、前記いずれかの木材パーツにおいて、少なくとも一方の前記端面（４２，４３）に、前記第１雌実部（４４，４６）を複数並列に有する場合、次のような更なる効果が生じる。その場合、雄実部は、前記端面に並列に設けられた複数の第１雌実部のうち、所望のものに嵌合させることができる。このため、第２の方向に沿って実継ぎされた複数の木材パーツにおける前記外周面の配置に凹凸を設けるなどの変化を付けることも、雄実部を嵌合させる第１雌実部を適宜選択することによって容易に実行できる。従って、このような木材パーツを用いれば、造形の自由度が一層向上する。
【００１４】
なお、この欄及び特許請求の範囲に記載した括弧内の符号は、一つの態様として後述する実施形態に記載の具体的手段との対応関係を示すものであって、本発明の技術的範囲を限定するものではない。
【図面の簡単な説明】
【００１５】
【図１】第１実施形態の木材パーツの構成を示す図で、（Ａ）は平面図、（Ｂ）は側面図、（Ｃ）は斜視図である。
【図２】その木材パーツに係る第１の実継ぎ状態を示す側面図である。
【図３】その第１の実継ぎ状態にある前記木材パーツに係る木ネジ固定方法を示す図で、（Ａ）は木材パーツ同士の固定方法を示し、（Ｂ）は木材パーツと壁面との固定方法を示す。
【図４】前記木材パーツに係る第２の実継ぎ状態を示す側面図である。
【図５】前記木材パーツと他の木材パーツとの実継ぎ状態を示す側面図である。
【図６】第２実施形態の木材パーツの構成を示す側面図である。
【図７】その木材パーツに係る第１の実継ぎ状態の各種形態を示す側面図である。
【図８】その木材パーツに係る第２の実継ぎ状態の各種形態を示す側面図である。
【図９】その木材パーツの壁としての利用例を示す斜視図である。
【図１０】第３実施形態の木材パーツの構成を示す図で、（Ａ）は木材パーツ単体の構成を示す側面図、（Ｂ）は第１の実継ぎ状態を示す側面図、（Ｃ）は第２の実継ぎ状態を示す側面図である。
【発明を実施するための形態】
【００１６】
以下、図面を参照しながら、発明を実施するための形態を説明する。なお、以下の説明においては、必要に応じて上下左右前後の方向を定義して説明を行う。但し、これらの各方向は、木材パーツを構成する各部の相対的な位置関係を簡潔に説明するために規定した方向にすぎない。実際に木材パーツを利用するに当たって、木材パーツがどのような方向に向けられるかは任意であり、例えば、以下に定義する上下方向が重力との関係で鉛直方向とは一致しない状態で使用されてもかまわない。
【００１７】
［１．第１実施形態］
［１−１．構成］
図１に示す第１実施形態の木材パーツ１は、単一の木材を切断及び切削することによって構成され、全体として概略直方体状に構成されている。木材パーツ１における互いに反対側に露出した端面２と端面３とには、雄実部５と第１雌実部６とがそれぞれ形成されている。
【００１８】
端面２，３は長辺方向（以下、左右方向ともいう：一定方向及び第１の方向の一例）を平行にした長方形状に構成され、雄実部５は、端面２における短辺方向の一方の側に偏った位置から端面２に対して垂直に突出し、かつ、左右方向に連続する凸状に構成されている。以下、雄実部５が偏って設けられた方向を上方向ともいい、端面３から端面２に向かう方向、すなわち雄実部５が突出した方向を前方向ともいう。
【００１９】
第１雌実部６は、左右方向に連続する凹溝状（厳密には前方に切り込んだ矩形の溝状）に、端面３に形成されている。また、雄実部５及び第１雌実部６は、端面２，３における左右方向全体に亘って設けられている。雄実部５及び第１雌実部６の上下方向の幅は、第１雌実部６に他の同様の木材パーツ１における雄実部５が嵌合可能で、かつ、その嵌合時には接着剤等を使用しなくても当該嵌合が容易に外れるのを抑制可能な幅とされている。
【００２０】
ここで、木材パーツ１における端面２，３と直交し、かつ、左右方向に平行な上側の外周面を、上面７とする。上面７から雄実部５までの間隔と上面７から第１雌実部６までの間隔とは互いに等しい。すなわち、雄実部５を第１雌実部６に嵌合させたとき、各木材パーツ１の上面７が図２に示すように同一平面上に配設されるように、雄実部５及び第１雌実部６が配置されている。
【００２１】
また、雄実部５の上側面は、上面７を直方体状に切り欠いて形成された切欠き部８と連接されることにより、端面２よりも後方に延びている。第１雌実部６の上側内壁面は、上面７を後方に延長して形成された雄実部９の下側面と連接されている。
【００２２】
雄実部５を第１雌実部６に嵌合させることによって、複数の木材パーツ１を、上面７を揃えて実継ぎすると、図２に示すように、切欠き部８に雄実部９が嵌合して相じゃくり継ぎされるように、切欠き部８及び雄実部９の大きさが設計されている。また、上面７には、左右方向に連続する第２雌実部１１が、上面７を下方に切り込んだ凹溝状（厳密には矩形の溝状）に形成されている。この第２雌実部１１の幅及び深さは、第１雌実部６と同様である。一方、木材パーツ１における端面２，３と直交し、かつ、左右方向に平行な下側の外周面としての下面１２は、雌実部を形成されず、滑らかな平面状に構成されている。
【００２３】
［１−２．効果］
（１Ａ）このように構成された木材パーツ１は、雄実部５を第１雌実部６に嵌合させることによって、複数の木材パーツ１を前後方向に実継ぎすることができる。このとき、上面７及び下面１２はそれぞれ同一平面上に配設される。また、このとき、切欠き部８に雄実部９が嵌合して相じゃくり継ぎされ各木材パーツ１の接続状態は一層安定する。
【００２４】
（１Ｂ）なお、このような実継ぎ状態（以下、第１の実継ぎ状態ともいう）を一層安定に維持するためには、例えば図３（Ａ）に示すような、木ネジ１９を使用した固定方法を適用することができる。図３（Ａ）に示す例では、第１雌実部６に嵌合された雄実部５を貫通するように、上面７側から木ネジ１９が螺合されている。この上面７とは、雄実部５が嵌合した第１雌実部６を有する木材パーツ１における上面７である。この場合、木ネジ１９によって、第１の実継ぎ状態にある２つの木材パーツ１を良好に固定することができ、両者の実継ぎ状態を安定して維持することができる。
【００２５】
なお、この固定方法では、木ネジ１９としては、丸頭の木ネジも、皿頭の木ネジも、丸皿頭の木ネジも、いずれも使用可能である。但し、固定後の上面７側の形状を平坦にするためには、図３（Ａ）に例示したように皿頭の木ネジ１９を使用して、頭部が上面７と同一平面上に配設されるまで螺合させるのが望ましい。また、各木材パーツ１の上面７を同一平面上に配設する必要がない場合は、第１雌実部６に雄実部９を嵌合させる実継ぎがなされてもよい。
【００２６】
（１Ｃ）また、図３（Ｂ）に示す例は、第１の実継ぎ状態にある複数の木材パーツ１を壁面９９（間柱や天井面や床面であってもよい）に固定する場合を示している。上面７が壁面９９に当接するように木材パーツ１を配設すると、下面１２側から、雄実部９を貫通して壁面９９に螺合するように、木ネジ１９を螺合させることができる。このため、木材パーツ１は、壁面９９に良好に固定される。
【００２７】
このとき、木ネジ１９として皿頭のものを使用し、頭部が雄実部９の下面１２側端面と同一平面上に配設されるまで螺合させれば、第１雌実部６に他の木材パーツ１の雄実部５を容易に嵌合させることができる。このように、壁面９９に沿って複数の木材パーツ１を実継ぎする場合、木ネジ１９による木材パーツ１の固定は、各木材パーツ１に対してなされてもよく、１行置き又は数行置きになされてもよい。
【００２８】
（１Ｄ）また、木材パーツ１は、上面７に第２雌実部１１を備えており、この第２雌実部１１に雄実部５又は９を嵌合させる実継ぎも可能である。このため、複数の木材パーツ１を前後方向のみならず上下方向にも立体的に実継ぎすることが可能となり、造形の自由度が良好に向上する。また、第２雌実部１１が切り込まれた方向（すなわち凹んだ方向）と雄実部５が突出した方向とは、左右方向から見て直交している。このため、図４に示すように、雄実部５が隣接する木材パーツ１の第２雌実部１１に嵌合するように、４個の木材パーツ１を組み合わせることができる。この場合、４つの上面７によって囲まれた四角柱状の空間２０を有する立体を構成することができる。当該立体は、外周面に４つの下面１２を有する四角柱状の立体であり、空間２０は当該立体を軸方向に貫通している。
【００２９】
この場合、４個の各木材パーツ１における雄実部５が、隣接する木材パーツ１の第２雌実部１１にそれぞれ嵌合することで、４個の木材パーツ１は安定した立体形状を構成する。従って、本実施形態の木材パーツ１を用いれば、造形の自由度が一層向上し、その造形物の安定性も向上する。
【００３０】
なお、前述の「四角柱状」とは、厳密な意味での四角柱に限るものではなく、目的とする効果を奏するのであれば厳密に四角柱でなくてもよい。すなわち、図４に示すように、雄実部９又は第１雌実部６又は切欠き部８に対応する凹凸が存在してもよい。また、本実施形態の木材パーツ１は、第２雌実部１１に雄実部５を嵌合させた実継ぎ状態（以下、第２の実継ぎ状態ともいう）では、一方の木材パーツ１における端面２と他方の木材パーツ１における上面７との間に隙間ができるように設計されているが、このような隙間ができないように設計されてもよい。また、図４に示すように４個の木材パーツ１が実継ぎされたとき、前記立体の外周面を構成する下面１２と端面３とが同一平面上に配設されるように設計されてもよい。
【００３１】
（１Ｅ）木材パーツ１は、第１の実継ぎ状態とされたとき、上面７及び下面１２が同一平面上に配設される。このため、上面７又は下面１２を壁面や間柱，床，天井等（以下、壁面等という）に取り付ければ、各木材パーツ１同士が実継ぎされた状態を維持したままで、当該各木材パーツ１を壁面等に良好に取り付けることが可能となる。
【００３２】
この効果は、大きさの異なる木材パーツと組み合わされた場合にも生じることがある。図５に示す木材パーツ１は、大きさの異なる他の木材パーツ２１を交えた第１の実継ぎ状態にある。木材パーツ２１は、木材パーツ１よりも前後上下方向に大きいが、上面２７から雄実部２５までの間隔と上面２７から第１雌実部２６までの間隔とは、木材パーツ１における上面７から雄実部５までの間隔、及び、上面７から第１雌実部６までの間隔と等しい。この木材パーツ２１も、前後方向の反対側に露出した端面２２，２３を備えている。端面２２には、雄実部５と同じ大きさの雄実部２５と、切欠き部８と同じ大きさの切欠き部２８とが形成されている。端面２３には、第１雌実部６と同じ大きさの第１雌実部２６と、雄実部９と同じ大きさの雄実部２９とが形成されている。
【００３３】
また、木材パーツ２１の上面２７には、左右方向に連続する第２雌実部３１が２列に並列に、上面２７を下方に切り込んだ凹溝状（厳密には矩形の溝状）に形成されている。これらの第２雌実部３１の幅（すなわち、前後方向の大きさ）は、第２雌実部１１と同様であるが、深さは第２雌実部１１よりも深く、木材パーツ１の雄実部５を嵌合させると端面２が上面２７に接触する深さに構成されている。一方、木材パーツ２１の下面３２は、木材パーツ１の下面１２と同様に雌実部を形成されず、滑らかな平面状に構成されている。
【００３４】
図５の例では、木材パーツ１の雄実部５を木材パーツ２１の第１雌実部２６に嵌合させ、木材パーツ２１の雄実部２５をもう１つの木材パーツ１の第１雌実部６に嵌合させている。すると、木材パーツ１の切欠き部８と雄実部２９とが相じゃくり継ぎされ、もう１つの木材パーツ１の雄実部９と切欠き部２８とが相じゃくり継ぎされる。従って、この場合も、第１の実継ぎ状態が安定して維持される。
【００３５】
また、上面２７から雄実部２５までの間隔、及び、上面２７から第１雌実部２６までの間隔は、上面７から雄実部５までの間隔、及び、上面７から第１雌実部６までの間隔と等しいので、第１の実継ぎ状態では、上面７，２７，７が同一平面上に配設される。このため、壁面等への固定も容易である。更に、このとき、木材パーツ２１における下面３２と上面２７との間隔は、木材パーツ１における下面１２と上面７との間隔より大きいので、下面１２及び下面３２は凹凸のある面を構成する。従って、壁面等に凹凸を形成する作業も容易となる。また更に、木材パーツ２１には、上面２７に、２つの第２雌実部３１が平行に形成されている。このため、木材パーツ１の雄実部５を、２つの第２雌実部３１のうち、所望のものに嵌合させることができる。従って、このような木材パーツ２１を用いれば、造形の自由度が一層向上する。
【００３６】
（１Ｆ）また、木材パーツ１及び木材パーツ２１は、いずれも、左右方向に垂直な断面形状がどの部分でも同様の多角柱状に構成されている。このため、木材パーツ１及び木材パーツ２１は、１方向（左右方向に相当）に長い角材等を切削することによって多数容易に作成することができる。
【００３７】
［２．第２実施形態］
［２−１．第１実施形態との相違点］
図６に示す第２実施形態の木材パーツ４１も、木材パーツ１と同様に、左右方向に垂直な断面形状がどの部分でも同様の多角柱状に構成されており、前後に端面４２，４３を備え、上方に上面４７を、下方に下面５２を、備える点は第１実施形態と同様である。また、端面４２に雄実部４５が形成され、端面４３に雄実部４９が形成され、上面４７に雄実部４５に連接した切欠き部４８が形成された点も同様である。
【００３８】
但し、端面４３に第１雌実部４６が複数形成された点、端面４２にも第１雌実部４４が複数形成された点、上面４７に複数の第２雌実部５１が形成された点、下面５２にも第２雌実部５３が形成された点において、木材パーツ４１は木材パーツ１と異なる。以下、相違点を中心に詳細に説明する。
【００３９】
端面４２，４３と雄実部４５と切欠き部４８と上面４７と雄実部４９との位置関係及び大きさは、木材パーツ１における端面２，３と雄実部５と切欠き部８と上面７と雄実部９との位置関係及び大きさと同様である。端面４２には、左右方向に連続する凹溝状の第１雌実部４４が２列に並列に形成されている。端面４３には、左右方向に連続する凹溝状の第１雌実部４６が３列に並列に形成されている。なお、どの第１雌実部４６も、木材パーツ１における第１雌実部６と同様に、前方に切り込んだ矩形の溝状に形成されている。また、どの第１雌実部４４も後方に切り込んだ矩形の溝状に形成されている。
【００４０】
上面４７に最も近い位置（すなわち最上列）に設けられた第１雌実部４６は、木材パーツ１における第１雌実部６と同様に、上側内壁面が雄実部４９の下側面に連接されている。上面４７に最も近い位置（すなわち最上列）に設けられた第１雌実部４４の上側内壁面も、雄実部４５の下側面に連接されている。
【００４１】
但し、木材パーツ４１における最上列の第１雌実部４６は、他の第１雌実部４６及び木材パーツ１における第１雌実部６に比べて深く形成されている。このため、図７（Ａ）に示すように最上列の第１雌実部４６に雄実部４５を嵌合させることによって複数の木材パーツ４１を第１の実継ぎ状態とした場合、雄実部４５が第１雌実部４６の奥まで嵌合する前に、雄実部４９が切欠き部４８に相じゃくり継ぎされる。また、木材パーツ４１では、第２雌実部５１は木材パーツ１の第２雌実部１１より深く形成され、第２雌実部５１に雄実部４５を嵌合させた第２の実継ぎ状態では、一方の木材パーツ４１における端面４２と他方の木材パーツ４１における上面４７との間に隙間ができないように設計されている。
【００４２】
具体的には、木材パーツ４１の上面４７には、左右方向に連続する第２雌実部５１が２列に並列に、上面４７を下方に切り込んだ凹溝状（厳密には矩形の溝状）に形成されている。各第２雌実部５１が下方に切り込まれた深さは、端面４２に対する雄実部４５の突出量よりも大きく、これは、端面４３に対する雄実部４９の突出量よりも大きい。木材パーツ４１の下面５２には、左右方向に連続する１列の第２雌実部５３が、下面５２を上方に切り込んだ凹溝状（厳密には矩形の溝状）に形成されている。第２雌実部５３が上方に切り込まれた深さも、端面４２に対する雄実部４５の突出量、及び、端面４３に対する雄実部４９の突出量よりも大きい。
【００４３】
［２−２．効果］
以上詳述した第２実施形態によれば、前述した第１実施形態の効果（１Ａ）〜（１Ｆ）に加え、以下の効果が得られる。
【００４４】
（２Ａ）最上列の第１雌実部４６は、木材パーツ１における第１雌実部６に比べて深く形成されている。このため、雄実部４９と切欠き部４８とを確実に相じゃくり継ぎさせることができる。
【００４５】
（２Ｂ）第２の実継ぎ状態では、一方の木材パーツ４１における端面４２と他方の木材パーツ４１における上面４７との間に隙間ができないので（図８（Ａ），図８（Ｂ）参照）、当該第２の実継ぎ状態を一層安定化させることができる。
【００４６】
（２Ｃ）端面４３には、複数の第１雌実部４６が形成されている。このため、雄実部４５又は４９を、複数の第１雌実部４６のうち、所望のものに嵌合させることができる。このため、前後方向に沿って実継ぎされた複数の木材パーツ４１における上面４７又は下面５２の配置に凹凸を設けるなどの変化を付けることも、雄実部４５又は４９を嵌合させる第１雌実部４６を適宜選択することによって容易に実行できる。従って、このような木材パーツ４１を用いれば、造形の自由度が一層向上する。
【００４７】
また、端面４２にも、複数の第１雌実部４４が形成されており、雄実部４９又は４５を所望の第１雌実部４４に嵌合させることができる。このため、前後方向に沿って実継ぎされた複数の木材パーツ４１における上面４７又は下面５２の配置に凹凸を設けるなどの変化を付けることは、雄実部４９又は４５を嵌合させる第１雌実部４４を適宜選択することによっても容易に実行できる。従って、このような木材パーツ４１を用いれば、造形の自由度が一層向上する。
【００４８】
例えば、図７（Ｂ）は、雄実部４５を他の木材パーツ４１の上から２列目の第１雌実部４６に嵌合させ、雄実部４９を更に他の木材パーツ４１の最上列の第１雌実部４４に嵌合させた例である。また、図７（Ｃ）は、雄実部４５を他の木材パーツ４１の上から３列目の第１雌実部４６に嵌合させ、雄実部４９を更に他の木材パーツ４１の上から２列目の第１雌実部４４に嵌合させた例である。本実施形態の木材パーツ４１では、このような第１の実継ぎ状態も実現可能となる。
【００４９】
なお、このような図７（Ｂ）又は図７（Ｃ）に示された実継ぎ状態とされた場合、３つの木材パーツ４１のうち両端の木材パーツ４１における上面４７及び下面５２は同一平面上に配設されるように、木材パーツ４１における各部の寸法が設計されている。すなわち、切欠き部４８と２つの第１雌実部４４とは等間隔に配置され、３つの第１雌実部４６も等間隔に配置され、両者の配置間隔は等しい。
【００５０】
（２Ｄ）木材パーツ４１は、上面４７に第２雌実部５１を２列備えており、いずれの第２雌実部５１にも雄実部４５又は４９を嵌合させる実継ぎが可能である。このため、造形の自由度が一層向上する。そして、第１実施形態と同様に、雄実部４５が隣接する木材パーツ４１の第２雌実部５１に嵌合するように、４個の木材パーツ４１が組み合わされてもよい。
【００５１】
この場合、各雄実部４５を端面４３側の第２雌実部５１に嵌合させると、図８（Ａ）に示すように、上面４７によって囲まれた比較的大き目の四角柱状の空間６０を有する立体を構成することができる。一方、各雄実部４５を端面４２側の第２雌実部５１に嵌合させると、図８（Ｂ）に示すように、上面４７によって囲まれた比較的小さ目の四角柱状の空間６０を有する立体を構成することができる。また、図８（Ａ），図８（Ｂ）に示す例では、空間６０が側面視略正方形に構成されるが、対向配置された一対の木材パーツ４１における雄実部４５を端面４２側の第２雌実部５１に嵌合させ、他の一対の木材パーツ４１における雄実部４５を端面４３側の第２雌実部５１に嵌合させれば、空間６０は側面視略長方形に構成される。
【００５２】
（２Ｅ）図８（Ｂ）に示す例では、各木材パーツ４１の下面５２とその木材パーツ４１が接続された木材パーツ４１の端面４３とが同一平面上に配設されるので、前記立体を一層四角柱に近づけることができる。なお、このような木材パーツ４１は、厚さ（すなわち上面４７と下面５２との間隔）の異なる木材パーツと実継ぎ可能に構成されてもよく、複数の第２雌実部５１のうち、実継ぎされる木材パーツに応じた第２雌実部５１に実継ぎがなされた場合に、当該厚さの異なる木材パーツの下面と端面４３とが同一平面上に配接されるようにしてもよい。
【００５３】
（２Ｆ）木材パーツ４１では、端面４２，４３にそれぞれ複数の第１雌実部４４，４６が形成されているので、それらの第１雌実部４４，４６は次のように利用することもできる。例えば、図９に示すように、端面４３を上に向けて、図７（Ａ）に示した第１の実継ぎ状態とされた複数の木材パーツ４１が屋内の壁面に固定された場合、最上面となる端面４３には第１雌実部４６に応じた凹凸が存在する。このような凹凸には、前記壁面に対してハンガーのフック等をかける場合に、当該フック等を良好に係止することができる。
【００５４】
（２Ｇ）木材パーツ４１は、下面５２にも第２雌実部５３を備えており、この第２雌実部５３にも雄実部４５又は４９を嵌合させる実継ぎが可能である。このため、造形の自由度が一層向上する。
【００５５】
［３．他の実施形態］
以上、本発明を実施するための形態について説明したが、本発明は上述の実施形態に限定されることなく、種々変形して実施することができる。
【００５６】
（３Ａ）前記実施形態では、互いに反対側に露出した一対の端面２，３等が、１８０°反対方向を向いているが、これに限定されるものではない。例えば、互いに実継ぎ可能なように雄実部及び第１雌実部を形成可能であれば、必ずしも１８０°反対方向を向いていなくてもよい。
【００５７】
例えば、図１０（Ａ）に示す第３実施形態の木材パーツ７１では、一対の端面７２，７３が、上面７７と１２０°の角度で交差している。一対の端面７２，７３は、下面８２と６０°の角度で交差している。すなわち、本実施形態では、一対の端面７２，７３がなす角度は１２０°である。
【００５８】
端面７２には、上面７７に沿った方向（すなわち前方）に突出した雄実部７５が形成され、端面７３には、前方に切り込まれた第１雌実部７６が形成されている。雄実部７５は、左右方向（一定方向及び第１の方向の一例）に連続する凸状に形成され、第１雌実部７６は、左右方向に連続する凹溝状に形成されている。雄実部７５の大きさと、第１雌実部７６の内部空間の大きさとはほぼ等しく、雄実部７５が第１雌実部７６に嵌合可能で、かつ、その嵌合時には接着剤等を使用しなくても当該嵌合が容易に外れない大きさとされている。また、上面７７と雄実部７５との間隔は、第１雌実部７６と下面８２との間隔と等しい。
【００５９】
このため、図１０（Ｂ）に示すように、上面７７と下面８２とを交互に反対側に向けて、各木材パーツ７１における雄実部７５を隣接する木材パーツ７１の第１雌実部７６に嵌合させれば、複数の木材パーツ７１を前後方向に実継ぎすることができる。このとき、それぞれの側における上面７７及び下面８２とは、同一平面上に配設される。
【００６０】
また、木材パーツ７１における上面７７には、端面７３と平行に切り込まれた第２雌実部８１が形成されている。この第２雌実部８１も、左右方向に連続する凹溝状に形成されている。第２雌実部８１の大きさと、第１雌実部７６の大きさとは等しく、第２雌実部８１と端面７３との間隔は、第１雌実部７６と上面７７との間隔と等しい。
【００６１】
このため、木材パーツ７１は、雄実部７５が隣接する木材パーツ７１の第２雌実部８１に嵌合するように、３個組み合わされると、３つの上面７７によって囲まれた三角柱状の空間８０を有する立体を構成することができる。このように、本発明では、前記一対の端面がなす角度が１８０°とは異なりそれに応じた方向に第２雌実部が形成された場合、三角柱状，五角柱状，六角柱状等の立体を構成することが可能となる。
【００６２】
（３Ｂ）また、前記各実施形態では、一対の端面２，３等を平面状に構成しているが、これに限定されるものではない。例えば、一対の端面の少なくとも一方は、外側又は内側に凸となるように緩やかに湾曲していてもよい。その場合、実継ぎされた木材パーツ同士が密着しないが、用途によっては何ら問題を生じない。
【００６３】
（３Ｃ）また、雄実部の外周面や第１雌実部又は第２雌実部の内壁面には、面を荒らす処理が施されてもよい。その場合、雄実部と第１雌実部又は第２雌実部との実継ぎが外れるのを一層良好に抑制することができる。
【００６４】
（３Ｄ）また、第１実施形態における雄実部９、又は、第２実施形態における雄実部４５，４９の一方、又は、第２実施形態における第１雌実部４４，４６若しくは第２雌実部５１，５３の一部は、省略されてもよい。更に、前記各実施形態における雄実部，第１雌実部，第２雌実部の形状や大きさや形成位置は、適宜変更されてもよい。雄実部とは実継ぎされる凸部であればよく、雌実部とは実継ぎされる凹溝であればよい。但し、第１雌実部又は第２雌実部の周囲における木材の肉厚は、適度の厚さを有する方が、木材パーツの製造時における加工が容易となる。
【００６５】
（３Ｅ）前記各実施形態では、前後上下方向に実継ぎ可能としたが、例えば特許３４６１５６９号に記載されたような隣接する２辺に亘る雄実部及び第１雌実部を採用することにより、木材パーツは左右方向にも実継ぎ可能に構成されてもよい。
【００６６】
（３Ｆ）前記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、前記実施形態の構成の一部を省略してもよい。また、前記実施形態の構成の少なくとも一部を、他の前記実施形態の構成に対して付加又は置換してもよい。なお、特許請求の範囲に記載した文言のみによって特定される技術思想に含まれるあらゆる態様が本発明の実施形態である。
【符号の説明】
【００６７】
１，２１，４１，７１…木材パーツ
２，３，２２，２３，４２，４３，７２，７３…端面
５，９，２５，２９，４５，４９，７５…雄実部
６，２６，４４，４６，７６…第１雌実部
７，２７，４７，７７…上面
８，２８，４８…切欠き部
１１，３１，５１，５３，８１…第２雌実部
１２，３２，５２，８２…下面
２０，６０，８０…空間
【図１】
0006360097.tif 000002
【図２】
0006360097.tif 000003
【図３】
0006360097.tif 000004
【図４】
0006360097.tif 000005
【図５】
0006360097.tif 000006
【図６】
0006360097.tif 000007
【図７】
0006360097.tif 000008
【図８】
0006360097.tif 000009
【図９】
0006360097.tif 000010
【図１０】
0006360097.tif 000011